【手続補正書】
【提出日】平成23年1月12日(2011.1.12)
【手続補正１】
【補正対象書類名】特許請求の範囲
【補正対象項目名】全文
【補正方法】変更
【補正の内容】
【特許請求の範囲】
【請求項１】
所定のやり方でＩＰマルチメディアサブシステムの機能を実行するノードと、
ＩＰマルチメディアサブシステムのユーザにサービスを行うＩＰマルチメディアサブシステムアプリケーションを有するアプリケーションサーバと、
前記ユーザにどのサービスがいつどのように実行されるべきかを指示する初期フィルタ基準を含む前記ユーザに関するサブスクリプションと
を備え、
前記サブスクリプションが、自分の該サブスクリプションの中に機能指示を有する前記ユーザに対してそれらの機能を実行する前記ノードの標準的なやり方を変更させる、前記ＩＰマルチメディアサブシステムの前記ノードに対する機能指示と、前記ノードに前記機能指示の実行を許可する制御インジケータとを含むことを特徴とするＩＰマルチメディアサブシステム。
【請求項２】
少なくとも１つの前記機能指示はワイルドカード解釈指示であり、当該機能指示は、少なくとも１つのワイルドカード表示シンボルおよびそのシンボルに対する許容置換を定めることを特徴とする、請求項１に記載のＩＰマルチメディアサブシステム。
【請求項３】
少なくとも１つの前記機能指示はフォーマット化ルール指示であり、当該機能指示は、前記ＩＰマルチメディアサブシステム内のソースノードから宛先ノードへのメッセージのフィールドに関して、当該フィールドの代替コンテンツの位置を定めることを特徴とする、請求項１に記載のＩＰマルチメディアサブシステム。
【請求項４】
少なくとも１つの前記機能指示は更新指示であり、ノードがローカルに格納しているプロファイルを更新するために、当該機能指示が前記登録メッセージ内の更新ユーザプロファイルを使用するように該ノードに指示することを特徴とする、請求項１に記載のＩＰマルチメディアサブシステム。
【請求項５】
ホーム加入者サーバは、さらに、前記制御インジケータと前記機能指示とを含む前記ＩＰマルチメディアサブシステムのユーザのサブスクリプションを保持し、当該サブスクリプションを前記ＩＰマルチメディアサブシステムのノードに配信することを特徴とする、請求項１に記載のＩＰマルチメディアサブシステム。
【請求項６】
−ユーザが前記ＩＰマルチメディアサブシステムに登録するとき、前記制御インジケータがホーム加入者サーバから受信した該ユーザのサブスクリプション内に存在するかどうかをチェックする工程と、
−存在する場合、前記サブスクリプションに含まれた前記機能指示を実行する工程と
を有することを特徴とする、請求項１に記載のＩＰマルチメディアサブシステムのノードの動作方法。
【請求項７】
−位置情報要求で受信したパブリック・ユーザ・アイデンティティに合致するパブリック・ユーザ・アイデンティティを探してサブスクリプションをスキャンする工程と、
−前記パブリック・ユーザ・アイデンティティに合致するサブスクリプション内に前記制御インジケータがあるかどうかをチェックする工程と、
−前記制御インジケータがある場合、そのサブスクリプションに含まれた前記機能指示を実行する工程と
を有することを特徴とする、請求項１に記載のＩＰマルチメディアサブシステムのホーム加入者サーバの動作方法。
【請求項８】
プロキシ呼セッション制御機能と、サービング呼セッション制御機能と、ホーム加入者サーバとをそれぞれ少なくとも１つ備える請求項１に記載のＩＰマルチメディアサブシステムネットワークのサービスへの、当該ネットワークのアクセスポイントに収容されたユーザ端末によるアクセスを促進する方法であって、
前記アクセスポイントは前記ＩＰマルチメディアサブシステムネットワークのサブスクリプションに関連づけられており、
−制御インジケータが前記サブスクリプション内に存在するかどうか、並びにいつ存在するかをチェックする工程と、
−前記アクセスポイントの前記ＩＰマルチメディアサブシステムネットワークへのＩＰマルチメディアサブシステム登録の際に、暗黙的な登録セット内の前記パブリック・ユーザ・アイデンティティおよび前記機能指示を、前記アクセスポイントに割り当てられたサービング呼セッション制御機能および前記アクセスポイントが接続しているプロキシ呼セッション制御機能に対して配信する工程と、
−前記アクセスポイントに収容されたユーザ端末向けのＩＮＶＩＴＥメッセージの処理の際に、前記サービング呼セッション制御機能が、Ｐ−Ｃａｌｌｅｄ−Ｐａｒｔｙ−Ｉｄｅｎｔｉｔｙヘッダ内に元の被要求ＵＲＩを保存し、前記元の被要求ＵＲＩを前記アクセスポイントの前記パブリック・ユーザ・アイデンティティで置換する工程と、
−前記変更されたＩＮＶＩＴＥメッセージを前記プロキシ呼セッション制御機能に転送する工程と
を有することを特徴とする方法。
【請求項９】
前記暗黙的な登録セットは、前記アクセスポイントの明示的なパブリック・ユーザ・アイデンティティを少なくとも１つ含むことを特徴とする、請求項８に記載の方法。
【請求項１０】
前記暗黙的な登録セットが、登録の際に前記ホーム加入者サーバから前記サービング呼セッション制御機能および前記プロキシ呼セッション制御機能へ、サーバ割り当て回答内の２００  ＯＫメッセージのＰ−Ａｓｓｏｃｉａｔｅｄ−ＵＲＩヘッダの中で送信されることを特徴とする、請求項８に記載の方法。
【請求項１１】
前記暗黙的な登録セットが、前記サブスクリプションが変更された後にプッシュプロファイル要求内で、前記ホーム加入者サーバから前記サービング呼セッション制御機能に提供されることを特徴とする、請求項８に記載の方法。
【請求項１２】
前記暗黙的な登録セットは、少なくとも１つのワイルドカード解釈指示と、パブリック・ユーザ・アイデンティティの範囲を表す少なくとも１つのワイルドカード・パブリック・ユーザ・アイデンティティもしくはパブリック・ユーザ・アイデンティティ・サブドメインとを含むことを特徴とする、請求項８に記載の方法。
【請求項１３】
前記暗黙的な登録セットは、少なくとも１つのフォーマット化ルール指示を含むことを特徴とする、請求項８に記載の方法。
【請求項１４】
前記暗黙的な登録セットは、少なくとも１つの更新指示を含むことを特徴とする、請求項８に記載の方法。
【請求項１５】
前記アクセスポイントは、ＩＰ構内交換機であることを特徴とする、請求項８に記載の方法。
【請求項１６】
前記アクセスポイントは、ＳＩＰプロキシサーバであることを特徴とする、請求項８に記載の方法。
【請求項１７】
前記暗黙的な登録セットは、前記サブスクリプションが未登録であるとき、セッション設定要求の受信の際に提供されることを特徴とする、請求項８に記載の方法。
【請求項１８】
ＩＰマルチメディアサブシステムネットワークのノードであって、
ユーザプロファイルが機能指示を含むかどうかを検出する指示検出手段と、
前記ノードに対して有効な前記ユーザプロファイルからの指示を選択し、それらを登録されたＰＵＩとともに格納する指示選択格納手段と、
登録されたＰＵＩと一緒に格納された機能指示を実行する指示実行手段と
を備え、請求項６又は８に記載の方法を実行するように構成されることを特徴とするノード。
【請求項１９】
請求項１８に記載のＩＰマルチメディアサブシステムネットワークのノードとして動作可能で、適合されたプログラムを有することを特徴とする汎用コンピュータ。